(57)【要約】【課題】入力制御を可変しながら高入力を実現する整流子電動機を安価に提供すること。【解決手段】主界磁巻線６３ａの始端は接続部Ａ６９に、終端はブラシ６５ａに接続され、補助界磁巻線６４ａの終端は接続部Ｃ７１に、始端は渡線の一端に接続され、また主界磁巻線６３ｂの始端と補助界磁巻線６４ｂの終端は接続部Ｂ７０に、主界磁巻線６３ｂの終端はブラシ６５ｂに接続され、補助界磁巻線６４ｂの始端は渡線のもう一端に接続され、補助界磁巻線６４ａの始端と接続された結線構成を有し、主界磁巻線６３ａと補助界磁巻線６４ａの相間に絶縁を施し、外部から接続される接続部Ａ６９、接続部Ｂ７０、接続部Ｃ７１の３つの接続部の接続の組み合わせで、駆動時の入力水準を所望の２水準選択できる構成を備えたもので、位相制御による高調波電流を抑制することができるので、整流子電動機を高入力化と幅広い入力制御が実現できる。【選択図】図１
2006296082.tif 000002
【特許請求の範囲】
【請求項１】
界磁コアの１対のティースＡに、主界磁巻線ａと補助界磁巻線ａの２組の巻線で構成される界磁巻線が同一巻き方向に施され、界磁コアの１対のティースＢに、主界磁巻線ｂと補助界磁巻線ｂの２組の巻線で構成される界磁巻線が同一巻き方向に施されるステータにおいて、前記主界磁巻線ａの始端は接続部Ａに、終端はブラシＡにそれぞれ接続され、前記補助界磁巻線ａの終端は接続部Ｃに、始端は渡線の一端にそれぞれ接続され、主界磁巻線ｂの始端と補助界磁巻線ｂの終端は接続部Ｂに、主界磁巻線ｂの終端はブラシＢにそれぞれ接続され、補助界磁巻線ｂの始端は渡線のもう一端に接続され、補助界磁巻線ａの始端と接続された結線構成を有し、主界磁巻線ａと補助界磁巻線ａの相間に絶縁を施して、同一ティースＡに巻線される２つの巻線間に絶縁を確保し、外部から接続される接続部Ａ、接続部Ｂ、接続部Ｃの３つの接続部の接続の組み合わせで、駆動時の入力水準を所望の２水準選択できることを特徴とする整流子電動機。
【請求項２】
主界磁巻線ａと補助界磁巻線ａ間に、絶縁性能を有する絶縁テープを施して、２つの巻線間の絶縁を構成したことを特徴とする請求項１に記載の整流子電動機。
【請求項３】
主界磁巻線ａと補助界磁巻線ａ間に、絶縁性能を有する樹脂等からなる枠体を設け、この枠体により主界磁巻線ａと補助界磁巻線ａ間の２つの巻線間の絶縁を構成したことを特徴とする請求項１に記載の整流子電動機。
【請求項４】
同一ティースに巻線された主界磁巻線、補助界磁巻線は、最初に巻線される側である下層側に補助巻線を施し、その後、上層側に主巻線が施されたことを特徴とする請求項１〜３のいずれか１項に記載の整流子電動機。
【請求項５】
界磁コアと界磁巻線を絶縁する絶縁材からなる界磁巻枠に、主界磁巻線と補助界磁巻線が巻線される空間を隔てる隔壁を一体的に設け、それぞれの隔てられた空間に巻線することで主界磁巻線ａと補助界磁巻線ａ間の２つの巻線間の絶縁を構成したことを特徴とする請求項１に記載の整流子電動機。
【請求項６】
主界磁巻線の線径Ｄａと補助界磁巻線の線径Ｄｂが、Ｄａ＞Ｄｂとなる関係の線径で巻線されたことを特徴とする請求項１〜５のいずれか１項に記載の整流子電動機。
【請求項７】
請求項１〜６のいずれか１項に記載の整流子電動機を備えた電動送風機。
【請求項８】
請求項７に記載の電動送風機を備えた電気掃除機。
【発明の詳細な説明】
【技術分野】
【０００１】
本発明は、電気掃除機等に使用される電動送風機に用いられる整流子電動機に関するものである。
【背景技術】
【０００２】
まず、従来の一般的な電気掃除機ならびに電気掃除機用電動送風機および整流子電動機の構成について、図７〜図８を用いて説明する。
【０００３】
図７に示すように、電気掃除機３０には、使用者が電気掃除機３０の運転を調整するためのボリュームやスライド式の入力調整手段５２と、吸引力を発生させる電動送風機１と電動送風機を制御する制御手段３７とトライアック３６が設けられている。電動送風機１は整流子電動機１５とファン部２８で構成される。
【０００４】
これらの接続について図８の回路ブロック図を用い説明する。図８に示すように整流子電動機１５は２つの入力端子である接続部を有し、接続部の片側はトライアック３６を介し商用電源５５の片側に、もう一方は商用電源５５の他の方へ接続される。制御手段３７は入力調整手段５２からの指示により、トライアック３６の位相制御を行う位相角（点呼角）を調整し、電動送風機１へ供給される電力を所望の値に制御する。
【０００５】
近年、欧州や中国、アジア、中近東など海外市場では高入力の電気掃除機３０が求められている。したがって電気掃除機３０に搭載されるで電動送風機１を構成する整流子電動機１５も高入力のものを搭載する必要がある。
【０００６】
また、電気掃除機３０の高入力化が求められる一方では、高入力のみでしか運転できない電気掃除機では使用性が乏しいため、最高入力より低い入力での運転ポジションを数段階設け、使用者の所望によるポジションを切り替える方式のものも同時に求められる。このときのポジションは、あらかじめ設定された規定値の入力に切り替えられる方式のものもあるが、使用者が任意にボリュームなどの入力調節手段５２を操作し、所望の入力に任意に可変できるものが機能的に求められる。
【０００７】
上記のような入力を可変する場合、整流子電動機１５をトライアック３６にて位相制御を行い、位相角を任意に変更して整流子電動機１５に供給される電力を可変する方法がは従来一般的であるが、位相制御によって入力制御を行うと商用電源の周波数を基本周波数とする２次、３次、４次、・・・・、といった高調波電流が発生し、高調電流が増大する。この高調波電流値は地域により法的に規制されており、ある一定の悶値以上発生させてはならないが、この規制値を満足しないと商品化でない。さらに上述のように高入力の電気掃除機３０に搭載される近年の整流子電動機１５は、入力が低い整流子電動機と比べ高調波電流の発生も増大している。
【０００８】
以上のような理由で、高入力の電気掃除機で、なおかつ広範囲の入力制御が可能な電気掃除機を両立して実現することが非常に困難であった。
【０００９】
したがって従来の電気掃除機３０では、これらの課題を克服し、高入力で、しかも、入力を可変する電気掃除機の実現には、高調波電流値を規制以下に押さえる制御方式として、位相制御を行う際に、位相角を、小さな位相角と大きな位相角に１周期ごとに交互に変化させ整流子電動機１５に供給する制御方式を採用し、入力可変が可能で高入力の電気掃除機を実現していた（例えば、特許文献１参照）。
【特許文献１】特開昭６３−２７４３９６号公報
【発明の開示】
【発明が解決しようとする課題】
【００１０】
しかしながら、高調波電流を満足させ、入力可変を可能にする特許文献１記載の制御を行い、電動送風機１を駆動させた場合、入力制御はある程度可変でき、この点では使用性に優れた電気掃除機を提供することができるが、反面、その制御方法の影響で電動送風機１が振動や異音を伴いながら駆動され、電気掃除機本体から振動が発生し、使用者にとって電気掃除機の使用性の低減につながっていた。
【００１１】
さらに、旧来から電動送風機の界磁巻線を分割し巻線の中間部分から端子に接続し４個（またはそれ以上）の接続部を有する電動送風機とし、接続部の結線を複雑な切替手段で、切り替え入力設定を変える仕様の電動送風機を用いた構成のものもみられたが、複雑な巻線構成や、多数の切り替えスイッチを用い安価に実現することが困難であった。
【００１２】
本発明は、上記課題を解決するもので、整流子電動機１５の入力制御を可変しながら、一方では市場要望に応える高入力を実現する電動送風機およびそれを搭載した電気掃除機を安価に提供することを目的とする。
【課題を解決するための手段】
【００１３】
前記従来の課題を解決するために本発明は、界磁コアの１対のティースＡに、主界磁巻線ａと補助界磁巻線ａの２組の巻線で構成される界磁巻線が同一巻き方向に施され、界磁コアの１対のティースＢに、主界磁巻線ｂと補助界磁巻線ｂの２組の巻線で構成される界磁巻線が同一巻き方向に施されるステータにおいて、前記主界磁巻線ａの始端は接続部Ａに、終端はブラシＡにそれぞれ接続され、前記補助界磁巻線ａの終端は接続部Ｃに、始端は渡線の一端にそれぞれ接続され、主界磁巻線ｂの始端と補助界磁巻線ｂの終端は接続部Ｂに、主界磁巻線ｂの終端はブラシＢにそれぞれ接続され、補助界磁巻線ｂの始端は渡線のもう一端に接続され、補助界磁巻線ａの始端と接続された結線構成を有し、主界磁巻線ａと補助界磁巻線ａの相間に絶縁を施して、同一ティースＡに巻線される２つの巻線間に絶縁を確保し、外部から接続される接続部Ａ、接続部Ｂ、接続部Ｃの３つの接続部の接続の組み合わせで、駆動時の入力水準を所望の２水準選択できることを特徴とする整流子電動機としたものである。
【００１４】
これによって、整流子電動機が高入力での駆動される場合と、低入力で駆動される場合の整流子巻線仕様を切り替え、高入力の実現と、中間入力での位相制御による高調波電流の発生を抑制し、全領域にわたって入力制御が可能な整流子電動機を実現できるものである。
【発明の効果】
【００１５】
本発明の整流子電動機およびこれを用いた電動送風機は、高入力化が可能で、しかも中間入力制御を全領域において可能にできる。また、この電動送風機を搭載する電気掃除機は、高い消費電力が実現し、かつ入力を可変できる、使用性に優れたものが実現できる。
【発明を実施するための最良の形態】
【００１６】
第１の発明は、界磁コアの１対のティースＡに、主界磁巻線ａと補助界磁巻線ａの２組の巻線で構成される界磁巻線が同一巻き方向に施され、界磁コアの１対のティースＢに、主界磁巻線ｂと補助界磁巻線ｂの２組の巻線で構成される界磁巻線が同一巻き方向に施されるステータにおいて、前記主界磁巻線ａの始端は接続部Ａに、終端はブラシＡにそれぞれ接続され、前記補助界磁巻線ａの終端は接続部Ｃに、始端は渡線の一端にそれぞれ接続され、主界磁巻線ｂの始端と補助界磁巻線ｂの終端は接続部Ｂに、主界磁巻線ｂの終端はブラシＢにそれぞれ接続され、補助界磁巻線ｂの始端は渡線のもう一端に接続され、補助界磁巻線ａの始端と接続された結線構成を有し、主界磁巻線ａと補助界磁巻線ａの相間に絶縁を施して、同一ティースＡに巻線される２つの巻線間に絶縁を確保し、外部から接続される接続部Ａ、接続部Ｂ、接続部Ｃの３つの接続部の接続の組み合わせで、駆動時の入力水準を所望の２水準選択できることを特徴とする整流子電動機としたものである。
【００１７】
これにより、整流子電動機が高入力での駆動される場合と、低入力で駆動される場合の整流子巻線仕様を切り替え、高入力の実現と、中間入力での位相制御による高調波電流の発生を抑制し、全領域にわたって入力制御が可能な整流子電動機を実現できるものである。
【００１８】
第２の発明は、特に、第１の発明の主界磁巻線ａと補助界磁巻線ａ間に、絶縁性能を有する絶縁テープを施し、２つの巻線間の絶縁を構成したもので、容易に巻線間の絶縁が確保できるので、絶縁機能にすぐれた整流子電動機を実現できるものである。
【００１９】
第３の発明は、特に、第１の発明の主界磁巻線ａと補助界磁巻線ａ間に、絶縁性能を有する樹脂等からなる枠体を設け、この枠体により主界磁巻線ａと補助界磁巻線ａ間の２つの巻線間の絶縁を構成したことにより、簡易に、かつ確実に巻線間の絶縁が確保できるので、絶縁機能にすぐれた整流子電動機を実現できるものである。
【００２０】
第４の発明は、特に、第１〜第３のいずれか１つの発明の同一ティースに巻線された主界磁巻線、補助界磁巻線は、最初に巻線される側である下層側に補助巻線を施し、その後、上層側に主巻線が施された構成により、巻線の容易さ、および温度上昇の低減が図れるので、安価で、信頼性の高い整流子電動機を実現できるものである。
【００２１】
第５の発明は、特に、第１の発明の界磁コアと界磁巻線を絶縁する絶縁材からなる界磁巻枠に、主界磁巻線と補助界磁巻線が巻線される空間を隔てる隔壁を一体的に設け、それぞれの隔てられた空間に巻線することで主界磁巻線ａと補助界磁巻線ａ間の２つの巻線間の絶縁を構成したことにより、安価で、信頼性の高い整流子電動機を実現できるものである。
【００２２】
第６の発明は、特に、第１〜第５のいずれか１つの発明に記載の主界磁巻線の線径Ｄａと補助界磁巻線の線径Ｄｂが、Ｄａ＞Ｄｂとなる関係の線径で巻線された構成を有するので、補助界磁巻線の巻数に余裕度が生まれるので、より安価で、信頼性の高い整流子電動機を実現できるものである。
【００２３】
第７の発明は、特に第１〜６のいずれか１つの発明の整流子電動機を備えた電動送風機とすることにより、電動送風機の高入力化と、位相制御による入力制御の領域を拡大できるので、使用性の高い電動送風機を提供できる。
【００２４】
第８の発明は、特に第７の発明の電動送風機を搭載し、電気掃除機の高入力化と、幅広い入力制御を実現できるので、使用性の高い電気掃除機を提供できる。
【００２５】
以下、本発明の実施の形態について、図面を参照しながら説明する。なお、この実施の形態によって本発明が限定されるものではない。
【００２６】
（実施の形態１）
本発明の第１の実施の形態を、図１〜図３を用いて説明する。なお従来例と同一部分については同一符号を付与して、その詳細な説明を省略する。
【００２７】
図１は本実施の形態の整流子電動機の等価ブロック図（内部結線図）、図２は同電気掃除機の回路ブロック図である。図３は入力値と巻線の切り替えおよび制御状態を示す関係図を表す。
【００２８】
図１に示すように、界磁コア６１のティースＡ６２ａには、主界磁巻線６３ａが施され、主界磁巻線６３ａの巻線の始端（巻線される巻きはじめの端部）は整流子電動機４９に外部から接続される接続部Ａ６９に接続され、終端（巻線される巻き終わりの端部）はブラシＡ６５ａに接続される。またティースＡ６２ａには、補助界磁巻線６４ａが施され、補助界磁巻線６４ａの巻線の終端は整流子電動機４９に外部から接続される接続部Ｃ７１に接続され、始端は渡線６８の一端に接続される。
【００２９】
同様にティースＢ６２ｂには、主界磁巻線６３ｂが施され、主界磁巻線６３ｂの巻線の始端は整流子電動機４９に外部から接続される接続部Ｂ７０に接続され、終端はブラシＢ６５ｂに接続される。またティースＢ６２ｂには、補助界磁巻線６４ｂが施され、補助界磁巻線６４ｂの巻線の終端は、主界磁巻線６３ｂの巻線の始端とともに接続部Ｂ７０に接続され、始端は渡線６８の他の一端に接続され、補助界磁巻線６４ａの始端と接続されている。
【００３０】
ティースＡ６２ａに巻線される主界磁巻線６３ａと補助界磁巻線６４ａの巻線間には、絶縁を有する絶縁テープ７２を数周回巻き込み絶縁層が形成された構成とし、巻線間の必要絶縁距離を確保し絶縁されている。また、主界磁巻線６３ａと補助界磁巻線６４ａの巻線の始端、終端が巻線される空間から引き出される部分は、お互いが近接し絶縁距離不足にならないよう必要に応じ絶縁チューブ７３で覆い、巻線から引き出された後の絶縁距離を確保している。
【００３１】
図２に示すように、整流子電動機４９にファン部２８を備え構成される電動送風機５０には、前述の３つの接続部（接続部Ａ６９、接続部Ｂ７０、接続部Ｃ７１）が備えられ、このうち接続部Ａ６９は商用電源５５の片側にトライアック５４を介して接続される。接続部Ｂ７０と接続部Ｃ７１は切替手段５３の端子に接続され、切替手段５３のコモン端子は商用電源５５のもう一方の極に接続され、コモン端子との接続は、接続部Ｂあるいは接続部Ｃのどちらか一方に切り替えられる構成である。
【００３２】
トライアック５４と切替手段５３は、ともに制御手段５１に接続され、トライアック５４の位相制御の位相角や、切替手段５３の切替制御は、使用者が入力調整を行うために本体３１などに設けられたボリュームやスライド式の入力調整手段５２の設定に応じ、制御手段５１によって制御される。
【００３３】
上記構成において動作を説明すると、使用者が電気掃除機を運転すると、整流子電動機４９に商用電源５５から電力が供給され整流子電動機４９は駆動される。整流子電動機４９が駆動されるとファン部４８を備えた電動送風機５０は、吸引力を発揮し電気掃除機３０は動作する。
【００３４】
このとき、使用者は掃除している床面の種類や塵埃の状況、および掃除している周囲の環境によって所望の入力になるように入力調整手段５２を操作し、電気掃除機３０の運転の入力を調整する。たとえば毛足が長く、深く塵埃が進入している絨毯の掃除や、砂や小石など比較的重量の大きな塵埃を主に掃除する場合、また床面に付着した塵埃などを掃除する際には、電気掃除機３０の入力を高めて掃除すると効率よく掃除できる。逆に、フローリングやタイル面のように比較的少ない吸込力でも塵埃が集塵できる場合や、夜間など騒音を低く押さえて掃除する場合などは、電気掃除機３０の入力を低く押さえて掃除を行う。
【００３５】
このように入力制御をする場合の動作を述べる。入力調整には整流子電動機４９を最高入力で運転する場合と、最高入力未満の入力値で運転する場合との大きく２種類に分けられる。
【００３６】
先ず最高入力で運転する場合には、入力調整手段５２からの指示により制御手段５１が最高入力での運転を指示されていると判断し、切替手段５３を接続部Ｂ７０側に接続し、なおかつトライアック５４をフル点呼（位相角０°でフル導通）で制御する。このとき商用電源は、整流子電動機４９の主界磁巻線６３のみフル導通で通電され、整流子電動機４９に最高電力が供給される。
【００３７】
次に、使用者によって入力調整手段５２が調整され、最高入力未満の入力での運転を指示した際に制御手段５１は、切替手段５３の接続は接続部Ｂ７０に接続し、トライアック５４の位相角を０°より増加させ位相制御で運転する。位相角が０°より大きくなるにつれ整流子電動機４９に供給される電力は減少し、電気掃除機３０は最高入力未満の領域で運転される。位相角をどんどん増していくと入力はそれにつれて減少し、入力可変が可能となる。しかしながら位相角の増加に伴って高調波電流値も増大していく。位相角がある一定以上大きくると高調波電流が規制値を超え、それ以上位相角を大きくできない状況、つまり入力をそれ以下に下げられない状況となる。使用者の要求する電気掃除機３０の入力値が、これ以下の場合は、制御手段５１は、切替手段５３を接続部Ｃ７１側に切り替え、またトライアック５４を所望の位相角で制御する。補助界磁巻線６４と主界磁巻線６３を直列にあわせた界磁巻線で整流子電動機４９を運転するので、界磁巻線６７のトータル巻数が増加し、トライアック５４をフル点呼で駆動した場合の入力でも、主界磁巻線６３のみで通電される場合より低くなる。つまり入力仕様が低い設定の整流子電動機４９を制御するのと同様になる。
【００３８】
一般的に入力が高い設定仕様の整流子電動機と、入力が低い設定仕様の整流子電動機を比較した場合、当然のことながら入力が高い仕様の方が電流値が高い。両者を位相制御した場合、同じ位相角で運転した場合も同様であり、よって高調波電流値も入力が高い仕様の整流子電動機の方が高い。過去の経験からフル導通での入力設定が１４００Ｗ〜１５００Ｗ程度の整流子電動機の仕様であれば、位相角を９０°で運転しても高調波電流は規制値を満足する。つまり、一番厳しい９０°位相の制御で高調波電流を満足するということは、０〜１８０°の全領域での位相制御を行っても高調波電流は規制を満足することができる。また、整流子電動機のフル導通での入力設定が１８００Ｗ〜２０００Ｗのものでは、徐々に位相角を大きくし、入力を下げていった場合、経験上約１４００Ｗ程度の入力までの位相角では高調波電流は規制値を満足し、それ以下の入力、つまりそれ以上の位相角では高調波電流は規制値を超えてしまう。
【００３９】
これらのことから考えると、主界磁巻線６３での仕様で、１８００Ｗ〜２０００Ｗの入力を考慮した仕様の巻数とし、なおかつ主界磁巻線６３と補助界磁巻線６４をあわせた巻数で１４００Ｗ〜１５００Ｗの入力を考慮した巻数の設定となるように、主界磁巻線６３と補助界磁巻線６４の巻数を設定すると、その組み合わせにより１８００Ｗ〜２０００Ｗの最高入力値以下の全入力範囲で、位相制御を用いても高調波電流が規制値を満足する設定が可能となる。概ね主界磁巻線６３の巻数Ｎａと補助界磁巻線６４の巻数Ｎｂの関係において、ＮｂをＮａの２５％〜３０％の巻数と設定することで、高入力化の達成と、入力可変が全領域にわたり可能な設定を実現できるものである。以上の関係を図３に示す。
【００４０】
また、主界磁巻線６３と補助界磁巻線６４に使用される線材の線径は同じである必要性はない。なぜなら、高入力時に使用される主界磁巻線６３は、高入力時の高い電流値においても巻線の温度上昇を低減させるために、太い線径のものを使用する必要がある。一方低入力時の設定時のみしか通電されない補助界磁巻線６４は、電流値が最高入力時点よりも低い状況でしか使用されので、温度上昇に対し余裕がでるため、主界磁巻線６３の設定された線径Ｄａより、補助界磁巻線６４の線径Ｄｂは細線化することできる。補助界磁巻線６４の線径を細線化することで、限られた巻線空間に巻線される余裕度が生まれ、巻線工数の削減、行程不良の低下など抑制することができるとともに、入力の設定など設計の選択を広げることができる。
【００４１】
また、主界磁巻線６３より補助界磁巻線６４を先に巻線する、つまり、下層側に巻線することで、温度上昇に対し厳しい主界磁巻線６３がステータ２の表面側に配されるようにし、運転時の冷却風による温度上昇抑制を効率よく実施できるものである。
【００４２】
このように本実施の形態によれば、主界磁巻線６３と補助界磁巻線６４を備え、その結線方法を工夫することでし、一つの切替手段で整流子電動機４９の入力設定が変更でき、かつ、主界磁巻線６３と補助界磁巻線６４の巻数を考慮することで、高入力で、かつ、位相制御による全入力領域で高調波電流を規制値以下に抑制することができるものである。
【００４３】
なお、上記に述べた結線の方法は、実現するための一例を示したのみであり、各々の結成状態を変更しても電気的に等価になることはいうまでもなく、同様の効果を得られるものである。
【００４４】
（実施の形態２）
次に本発明の第２の実施の形態を、図４、図５を用いて説明する。なお第１の実施の形態と同一部分については同一符号を付して、その説明を省略する。
【００４５】
図４は本実施の形態の整流子電動機のステータの構成を表す斜視図、図５は巻線された後の状態を示すステータの断面図である。
【００４６】
図４おいて、界磁コア６１には、界磁コア６１と界磁巻線６７と絶縁するために、樹脂などで形成された界磁巻枠３８が界磁コア６１の上下に設けられている。ティースＡ６２ａに主界磁巻線６３ａもしくは補助界磁巻線６４ａのうちで先に巻かれる巻線を施した後に、相間絶縁枠体８２を界磁巻枠３８同様に上下から挿入する。相間絶縁枠体８２が巻線されている下層側の巻線を完全に覆ったのち、もう片方の巻線が上層側に巻線される。図５に巻線された後の断面を示すように、下層側の巻線と上層側の巻線は相間絶縁枠体８２により、完全に絶縁される。
【００４７】
以上の構成により、主界磁巻線６３ａと補助界磁巻線６４ａは、確実に絶縁を確保される。巻線の相間を絶縁する手段として、絶縁テープなどを用い絶縁構成をとるより、相間絶縁体８２を用いることで、組立時の工数が削減されるとともに、確実に絶縁が構成され絶縁不良などの発生を抑制することができる。
【００４８】
（実施の形態３）
次に本発明の第３の実施の形態を、図６を用いて説明する。なお、上記の実施の形態と同一部分については同一符号を付して、その説明を省略する。
【００４９】
図６は本実施の形態の整流子電動機のステータの界磁巻枠を示す外観図である。
【００５０】
図６はステータ２において、界磁巻枠８３一部に、巻線される空間を隔てる隔壁部８４を設ける。主界磁巻線６３ａと補助界磁巻線６４ａは、隔壁部８４で隔てられた空間にそれぞれ巻線される。
【００５１】
以上の構成により、主界磁巻線６３ａと補助界磁巻線６４ａは、確実に絶縁を確保される。巻線の相間を絶縁する手段として、絶縁テープなどを用い絶縁構成をとるより、隔壁部８４を備えた界磁巻枠８３を用いることで、組立時の工数が削減されるとともに、部品点数の抑制を図り、かつ、確実に絶縁が構成され絶縁不良などの発生を抑制することができる。
【産業上の利用可能性】
【００５２】
以上のように、本発明にかかる整流子電動機は、高入力化と、位相制御による広範囲な入力制御ができるので、整流子電動機を用いる家庭用電化機器、産業機器等の用途にも幅広く適用できる。
【図面の簡単な説明】
【００５３】
【図１】本発明の第１の実施の形態を示す整流子電動機の等価ブロック図
【図２】同電気掃除機の回路ブロック図
【図３】同電気掃除機の入力値と巻線の切り替えおよび制御状態を示す関係図
【図４】本発明の第２の実施の形態を示すステータの構成を表す斜視図
【図５】同整流子電動機のステータの断面図
【図６】本発明の第３の実施の形態を示すステータの界磁巻枠を示す外観図
【図７】従来の電気掃除機を示す外観図
【図８】従来の電気掃除機の回路ブロック図
【符号の説明】
【００５４】
１    電動送風機
２    ステータ
３    界磁コア
５    ロータ
１５  整流子電動機
２８  ファン部
３０  電気掃除機
３１  本体
３６  トライアック
３７  制御手段
３８  界磁巻枠
４９  整流子電動機
５０  電動送風機
５１  制御手段
５２  入力調整手段
５３  切替手段
５４  トライアック
５５  商用電源
６１  界磁コア
６２  ティース
６３  主界磁巻線
６４  補助界磁巻線
６５  ブラシ
６７  界磁巻線
６８  渡線
６９  接続部Ａ
７０  接続部Ｂ
７１  接続部Ｃ
７２  絶縁テープ
７３  絶縁チューブ
８２  相間絶縁枠体
８３  界磁巻枠
８４  隔壁部
【図１】
2006296082.tif 000003
【図２】
2006296082.tif 000004
【図３】
2006296082.tif 000005
【図４】
2006296082.tif 000006
【図５】
2006296082.tif 000007
【図６】
2006296082.tif 000008
【図７】
2006296082.tif 000009
【図８】
2006296082.tif 000010